(57)【要約】  【課題】バランサの軽量化を図るとともにバランサの取り付け作業の効率を確保したカラーホイール装置を提供する。  【解決手段】カラーホイール３に固定された支持体11の外周部にてカラーホイール３の近傍である支持体11の重心位置よりもカラーホイール３寄りにバランサ25を取り付ける。バランサ25の接着固定の際にモータ支持体35などが妨げとなることがなく、バランサ25の取り付け作業の効率を確保できるとともに、バランサ25とカラーホイール３との距離が近くなるのでバランサ25の軽量化を図ることができる。  【選択図】図１
2006162651.tif 000002
【特許請求の範囲】
【請求項１】
モータと、
このモータにより回転され、照射された光をそれぞれ互いに異なる色光に変換する複数のカラーフィルタを備えたカラーホイールと、
このカラーホイールに固定され、このカラーホイールとともに回転する支持体と、
この支持体の外周部かつ前記カラーホイールの近傍に取り付けられたバランサと
を具備したことを特徴としたカラーホイール装置。
【請求項２】
バランサは、支持体の重心位置よりもカラーホイール寄りに取り付けられている
ことを特徴とした請求項１記載のカラーホイール装置。
【請求項３】
バランサは、接着剤である
ことを特徴とした請求項１または２記載のカラーホイール装置。
【請求項４】
支持体の外周部かつカラーホイールの近傍に設けられ、バランサが取り付けられる溝部を具備した
ことを特徴とした請求項１ないし３いずれか一記載のカラーホイール装置。
【請求項５】
溝部は、支持体の回転中心側に対向する面部を備えている
ことを特徴とした請求項４記載のカラーホイール装置。
【請求項６】
バランサは、カラーホイールに対して、このカラーホイールで変換した色光の戻光が照射される側の反対側に位置している
ことを特徴とした請求項１ないし５いずれか一記載のカラーホイール装置。
【請求項７】
支持体によるカラーホイールの支持部の周囲に設けられ、このカラーホイールで変換した色光の戻光を遮光可能なマスク手段を具備した
ことを特徴とした請求項６記載のカラーホイール装置。
【請求項８】
光源と、
この光源から照射された光を互いに異なる複数の所定の色光に時分割で循環的に変換する請求項１ないし７いずれか一記載のカラーホイール装置と、
このカラーホイール装置にて変換された各色光をそれぞれ変調する光変調手段と、
この光変調手段にて変調された各色光をスクリーンに投射する投射光学系と
を具備したことを特徴としたプロジェクタ装置。
【発明の詳細な説明】
【技術分野】
【０００１】
本発明は、モータにより回転され、照射された光をそれぞれ互いに異なる色光に変換するカラーホイールを有するカラーホイール装置及びこれを備えたプロジェクタ装置に関する。
【背景技術】
【０００２】
従来、この種のプロジェクタ装置は、光源と、この光源から投射された光を互いに異なる複数の所定の色光に時分割で循環的に変換するカラーホイール装置と、このカラーホイール装置にて変換された各色光を、所定の映像信号に応じてそれぞれ変調させる光変調手段と、この光変調手段で変調された各色光を、スクリーンへと投射する投射光学系としての投射レンズとを備えている。
【０００３】
さらに、カラーホイール装置は、モータと、このモータの回転駆動軸が挿通されてこのモータにより周方向に回転される円盤状のカラーホイールとを有しており、このカラーホイールには、例えば赤（Ｒ）、緑（Ｇ）、あるいは青（Ｂ）などのカラーフィルタが周方向に互いに隣接して設けられている。
【０００４】
また、カラーホイールにハブを接着し、このハブをモータにより回転させるカラーホイール装置もある。
【０００５】
そして、カラーホイール装置は、モータによりカラーホイールが回転されることで、各カラーフィルタが光源から照射された光を循環的に各色光に時分割で変換する。
【０００６】
しかしながら、このようなプロジェクタ装置では、モータの回転駆動軸、カラーホイールの回転軸の偏芯、あるいは、カラーホイールとハブとの接着剤の塗布斑により、カラーホイールの回転バランスにずれが生じる。
【０００７】
特に、プロジェクタ装置においては、カラーホイールが、１０００rpm近くの回転速度、あるいはそれを超える高速で回転するため、わずかな偏芯などが回転バランスに大きく影響する。
【０００８】
そこで、カラーホイールの回転バランスを改善するために、ハブの後端縁に溝部を設け、この溝部内に適量の接着剤を塗布したプロジェクタ装置が知られている（例えば、特許文献１参照。）。
【特許文献１】特開２００３−３３７２１９号公報（第３−５頁、図８）
【発明の開示】
【発明が解決しようとする課題】
【０００９】
カラーホイールは、バランスを取る必要があるカラーホイールの近傍で回転のバランスを確保するほうが、バランサの塗布量を少なくできるなどの点で好ましい。
【００１０】
しかしながら、上述のプロジェクタ装置では、接着剤をハブの後端縁に塗布しているため、カラーホイールとバランサとの距離が大きく、カラーホイールの回転バランスをとるのに要する接着剤の量が多くなるという問題点を有している。
【００１１】
また、ロータがステータの内側に位置する、いわゆるインナロータ型のモータを使用する場合には、ロータを内装する筐体がハブの後端縁の後方に位置することになるため、接着剤の塗布作業の妨げとなり、接着剤の塗布の作業効率の低下を招くおそれがある。
【００１２】
さらに、ロータがステータの外側に位置する、いわゆるアウタロータ型のモータを使用する場合には、モータの側面すなわちロータの側面からモータを支持することが容易でないため、モータの後側にモータを支持する構造体を配置する必要があり、この構造体が接着剤の塗布作業の妨げとなって、接着剤の塗布の作業効率の低下を招くおそれもある。
【００１３】
本発明は、このような点に鑑みなされたもので、バランサの軽量化を図るとともにバランサの取り付け作業の効率を確保したカラーホイール装置及びこれを備えたプロジェクタ装置を提供することを目的とする。
【課題を解決するための手段】
【００１４】
請求項１記載のカラーホイール装置は、モータと、このモータにより回転され、照射された光をそれぞれ互いに異なる色光に変換する複数のカラーフィルタを備えたカラーホイールと、このカラーホイールに固定され、このカラーホイールとともに回転する支持体と、この支持体の外周部かつ前記カラーホイールの近傍に取り付けられたバランサとを具備したものである。
【００１５】
そして、カラーホイールに固定された支持体の外周部にてカラーホイールの近傍にバランサを取り付けることで、バランサの取り付け作業の効率が確保されるとともに、バランサとカラーホイールとの距離が近くなりバランサの軽量化が図られる。
【００１６】
請求項２記載のカラーホイール装置は、請求項１記載のカラーホイール装置において、バランサが、支持体の重心位置よりもカラーホイール寄りに取り付けられているものである。
【００１７】
そして、支持体の重心位置よりもカラーホイール寄りにバランサを取り付けることで、バランサとカラーホイールとの距離がより近くなり、バランサの軽量化が、より確実に図られる。
【００１８】
請求項３記載のカラーホイール装置は、請求項１または２記載のカラーホイール装置において、バランサが、接着剤であるものである。
【００１９】
そして、バランサを接着剤とすることにより、バランサの取り付け量、あるいは取り付け位置の自由度が向上する。
【００２０】
請求項４記載のカラーホイール装置は、請求項１ないし３いずれか一記載のカラーホイール装置において、支持体の外周部かつカラーホイールの近傍に設けられ、バランサが取り付けられる溝部を具備したものである。
【００２１】
そして、バランサが取り付けられる溝部を支持体の外周部かつカラーホイールの近傍に設けることで、バランサの位置決めが容易化され、バランサの効果が効率よく発揮される。
【００２２】
請求項５記載のカラーホイール装置は、請求項４記載のカラーホイール装置において、溝部が、支持体の回転中心側に対向する面部を備えているものである。
【００２３】
そして、支持体の回転中心側に対向する面部を溝部に設けることで、溝部に取り付けられたバランサがこの面部で支持され、支持体の回転の際に遠心力でバランサが溝部から外れることが低減される。
【００２４】
請求項６記載のカラーホイール装置は、請求項１ないし５いずれか一記載のカラーホイール装置において、バランサは、カラーホイールに対して、このカラーホイールで変換した色光の戻光が照射される側の反対側に位置しているものである。
【００２５】
そして、カラーホイールに対して戻光が照射される側の反対側にバランサを位置させることで、戻光がバランサに照射されにくくなり、バランサの剥がれ、あるいは劣化が防止される。
【００２６】
請求項７記載のカラーホイール装置は、請求項６記載のカラーホイール装置において、支持体によるカラーホイールの支持部の周囲に設けられ、このカラーホイールで変換した色光の戻光を遮光可能なマスク手段を具備したものである。
【００２７】
そして、戻光を遮光可能なマスク手段をカラーホイールの支持部の周囲に設けることで、このマスク手段により戻光がバランサに照射されることが防止され、バランサの剥がれ、あるいは劣化が、より確実に防止される。
【００２８】
請求項８記載のプロジェクタ装置は、光源と、この光源から照射された光を互いに異なる複数の所定の色光に時分割で循環的に変換する請求項１ないし７いずれか一記載のカラーホイール装置と、このカラーホイール装置にて変換された各色光をそれぞれ変調する光変調手段と、この光変調手段にて変調された各色光をスクリーンに投射する投射光学系とを具備したものである。
【００２９】
そして、カラーホイール装置のカラーホイールを支持する支持体の外側面にてカラーホイールの近傍にバランサを取り付けることで、バランサの取り付け作業の効率が確保されるとともに、バランサとカラーホイールとの距離が近くなりバランサの軽量化が図られ、製造性が向上するとともに全体の軽量化が可能になる。
【発明の効果】
【００３０】
本発明によれば、カラーホイールを支持する支持体の外周部にてカラーホイールの近傍にバランサを取り付けることで、バランサの取り付け作業の効率を確保できるとともに、バランサとカラーホイールとの距離が近くなりバランサの軽量化を図ることができる。
【発明を実施するための最良の形態】
【００３１】
以下、本発明の第１の実施の形態のカラーホイール装置の構成を図１ないし図３を参照して説明する。
【００３２】
図３において、１はプロジェクタ装置で、このプロジェクタ装置１は、光源としてのランプ２と、このランプ２から照射された光を時分割で各色光に変換するカラーホイール３を備えたカラーホイール装置としてのカラーホイールユニット４、このカラーホイールユニット４により変換された各色光の照度を均一化して導く照明光学系５、この照明光学系５で導かれた光を変調させる光変調手段としての表示素子すなわち表示デバイスであるＤＭＤ（Digital Micromirror Device（商品名））６、及び、このＤＭＤ６で変調された光線を図示しないスクリーンへと投射する投射光学系としてのレンズ鏡筒である投射レンズ装置７などを備えている。そして、このプロジェクタ装置１は、照明光学系５及びＤＭＤ６などが本体部としての図示しないフレーム体に取り付けられ、かつ、ランプ２、カラーホイールユニット４及び投射レンズ装置７などとともに外装筐体８内に収容されている。
【００３３】
なお、以下、ランプ２からスクリーンに向かう光線の光軸Ｏに沿って、スクリーン側を前側、ランプ２側を後側とし、光軸Ｏの後側から前側に向かって左右方向をそれぞれ左右方向として説明する。
【００３４】
ランプ２は、ハロゲンランプなどの白熱電球、あるいはメタルハライドランプなどの放電ランプである。
【００３５】
カラーホイール３は、例えば透過型のもので、図２に示すように、例えば赤（Ｒ）、緑（Ｇ）、青（Ｂ）、白（Ｗ）の各カラーフィルタ3r，3g，3b，3wをそれぞれ扇形状に形成して周方向に配置した円盤状に形成され、光軸Ｏに対して略直交する方向に沿って配設されている。なお、カラーフィルタ3wとは、ランプ２からの光をそのまま透過させる無色透明なフィルタである。
【００３６】
そして、カラーホイールユニット４は、図１に示すように、カラーホイール３に固定された支持体11と、カラーホイール３の各カラーフィルタ3r，3g，3b，3wがランプ２の光線に順次当たるようにカラーホイール３とともに支持体11を所定の速度で回転させるモータ12とを備え、このモータ12がカラーホイール３の後側に位置するように外装筐体８内に配置されている。
【００３７】
支持体11は、カラーホイール３に取り付けられる略円柱状のカラーホイール取付体15と、このカラーホイール取付体15と一体的に設けられているとともにモータ12の一部を構成する略円筒状の回転ロータ16とを備えている。
【００３８】
そして、カラーホイール取付体15は、略円筒状に形成された本体部21と、この本体部21からカラーホイール３に向けて軸方向の一端部から同軸状に突設された突出挿入部22と、本体部21から回転ロータ16に向けて軸方向の他端部から同軸状に突設された突出嵌合部23とを一体に有し、これら本体部21、突出挿入部22及び突出嵌合部23の中心軸に沿って圧入孔24が穿設されているとともに、周方向の適宜の位置に適量のバランサ25が取り付けられている。
【００３９】
本体部21は、カラーホイール３に対してランプ２から光が照射される側、すなわち、本実施の形態では、カラーホイール３の光軸方向後側に位置している。
【００４０】
また、突出挿入部22は、本体部21よりも小さい外径寸法を有し、カラーホイール３の中心部に形成された孔部27に挿入されて固定されている。このため、この突出挿入部22の外周面に、カラーホイール３の孔部27の内周縁部が当接する座部28が形成され、本体部21の軸方向の一端面である前端面が、カラーホイール３の後側面に当接するフランジ面29となっている。
【００４１】
さらに、突出嵌合部23は、本体部21よりも小さい外径寸法を有し、回転ロータ16の一端側に挿入されて固定されている。このため、この突出嵌合部23の外周面に、回転ロータ16の内周縁部が当接する当接座部31が形成され、本体部21の軸方向の他端面である後端面が、回転ロータ16の前端面に当接する当接フランジ面32となっている。
【００４２】
そして、圧入孔24には、モータ12の回転軸33の軸方向の一端側が圧入されて挿通されている。
【００４３】
また、バランサ25は、本実施の形態では、アルミ片、あるいは銅片などであり、カラーホイール３の近傍の本体部21の外周部、具体的には、バランサ25は支持体11の重心位置よりもカラーホイール３寄りである支持体11の前後方向の前側寄り、本実施の形態では、カラーホイール３の後側面に隣接して接着固定されている。すなわち、バランサ25は、カラーホイールユニット４で変換された色光の投射レンズ装置７などからの戻光が照射されるカラーホイール３の前面側と反対側である後面すなわち背面に配置されている。
【００４４】
なお、バランサ25の取り付け量及び本体部21への周方向の取り付け位置などは、一般的なタイヤのホイールバランス検査装置と同様に構成されたバランス検査装置（タイヤのバランス検査装置よりも小型であり、かつ、検出精度が高い）を用いて適宜決定される。
【００４５】
一方、モータ12は、いわゆるアウタロータ型のものであり、最外部に位置した回転ロータ16と、この回転ロータ16に挿通された回転軸33と、この回転軸33に取り付けられ回転ロータ16内に配置されたコイル34とを備えている。
【００４６】
回転ロータ16は、例えば金属などにより円筒状に形成され、軸方向の一端部に突出嵌合部23が嵌合してこの軸方向の一端部の開口が閉塞され、この状態で外周面がカラーホイール取付体15の本体部21の外周面と略面一となっている。また、この回転ロータ16の内周側には、コイル34の外周面に対向して図示しない永久磁石が設けられ、通電されたコイル34の周囲をカラーホイール３及びカラーホイール取付体15とともに回転する。
【００４７】
さらに、回転軸33は、軸方向の一端部が圧入孔24に圧入されているとともに、軸方向の他端部が回転ロータ16及びコイル34に挿通されている。そして、この回転軸33の軸方向のコイル34よりも他端側には、カラーホイールユニット４をフレーム体などの外装筐体８側に固定可能とするモータ支持体35と、このモータ支持体35に挿入されコイル34を支持するコイル支持体36とがそれぞれ取り付けられている。
【００４８】
モータ支持体35は、例えば図示しないねじなどを介してモータ12を外装筐体８側に固定するためのものであり、回転ロータ16の後端部に対して離間されて対向し、例えば取付部37が径方向に一対突設され、これら取付部37にねじが挿入されるねじ挿入孔38が穿設されている。また、このモータ支持体35の中心部には、コイル支持体36が挿通される挿通孔39が穿設されている。
【００４９】
また、コイル支持体36は、コイル34をモータ支持体35に固定するとともに回転軸33を回転自在に軸支するもので、挿通孔39に挿通された略円筒状の挿通部41と、この挿通部41の軸方向の他端部から径方向に突設された軸支部42とを備え、回転軸33が回転可能に軸支された軸支孔43が中心部に穿設されている。
【００５０】
挿通部41は、軸方向の一端部がコイル34の軸方向の他端部に当接している。
【００５１】
また、軸支部42は、モータ支持体35の後側面に当接し、コイル支持体36をモータ支持体35に一体的に接続しているとともに、回転軸33を回転自在に軸支している。
【００５２】
さらに、コイル34からは、図示しない複数のリード線が引き出されており、これらリード線は、モータ支持体35の回転ロータ16側の面である前端面に一体的に取り付けられ電源部などに接続される図示しないフレキシブル基板などに電気的に接続されている。
【００５３】
そして、照明光学系５は、カラーホイールユニット４で変換した各色光の光線の照度を均一化するとともに集光するレンズ部45と、このレンズ部45で照度を均一化され集光された光線をＤＭＤ６へと反射させるミラーM1，M2などを有している。
【００５４】
また、ＤＭＤ６は、照明光学系５により照度を均一化され集光された光線を、処理された映像信号に応じて変調させて反射する反射型素子であり、映像信号を処理する映像信号処理回路などの電子回路に実装されている。すなわち、プロジェクタ装置１は、いわゆる反射型のものである。
【００５５】
そして、投射レンズ装置７は、フォーカス動作用の図示しないフォーカス環と、ズーム動作用のズーム環とをそれぞれ備え、略円筒状に形成されている。
【００５６】
次に、上記第１の実施の形態の動作を説明する。
【００５７】
カラーホイールユニット４を組み立てる際には、永久磁石を内周面側に取り付けた回転ロータ16とカラーホイール３を取り付けたカラーホイール取付体15とを一体的に固定し、回転軸33の一端側を圧入孔24に圧入した後、この回転軸33の他端側にコイル34、モータ支持体35及びコイル支持体36を取り付け、取付部37を介してバランス検査装置に装着して回転バランスを検査し、この検査した回転バランスのずれ量及びずれ位置に応じて、バランサ25を所定の位置に所定量接着する。
【００５８】
この組み立てたカラーホイールユニット４は、ねじ挿入孔38にそれぞれねじが挿入され、このねじが外装筐体８側に締め付けられることで、外装筐体８側に固定される。
【００５９】
そして、電源を投入すると、フレキシブル基板を介してカラーホイールユニット４に電源が供給され、コイル34に通電されてカラーホイール３が支持体11とともに略一定速度で回転する。
【００６０】
さらに、ランプ２から照射された光線は、カラーホイール３のカラーフィルタ3r，3g，3b，3wにより時分割で赤（Ｒ）、緑（Ｇ）、青（Ｂ）、白（Ｗ）の色光に変換され、これら各色光がレンズ部45により照度を均一化され集光されてミラーM1，M2にてＤＭＤ６へと反射される。さらに、ＤＭＤ６に入射した色光は、映像信号処理回路などにて処理した映像信号に応じて反射されて投射レンズ装置７へと反射され、この投射レンズ装置７によりフォーカス調整及びズーム調整されてスクリーンに投射される。このとき、各色光が視聴者の視覚により残像にて合成されることで、カラーの画像として視覚される。
【００６１】
上述したように、上記第１の実施の形態では、カラーホイール３に固定された支持体11の外周部にてカラーホイール３の近傍、具体的には、支持体11の重心位置よりもカラーホイール３寄りにバランサ25を取り付ける構成とした。
【００６２】
この結果、例えば支持体の後端部である回転ロータの後端部などにバランサを接着する従来の場合と比較して、バランサ25の接着固定の際にモータ支持体35などが妨げとなることがなく、バランサ25の取り付け作業の効率を確保できるとともに、バランサ25とカラーホイール３との距離が近くなるのでバランサ25の軽量化を図ることができ、プロジェクタ装置１の製造性の向上及び軽量化が可能になる。
【００６３】
また、ＤＭＤ６で反射された光のうち、投射レンズ装置７に入射しなかった光の一部がカラーホイール３側に照射される戻光となる。そのため、カラーホイール３の背面側にバランサ25を位置させることで、戻光がバランサ25に当たりにくくなり、この戻光によりバランサ25が高温になることを防止できるので、バランサ25を装着している接着剤の劣化を防止でき、バランサ25の剥がれを防止できる。
【００６４】
なお、戻光がカラーホイール３側に照射されないようにカラーホイール３の前面に遮光板を設ける手段も考えられるが、ランプ２から照射された光は、カラーフィルタ3r，3g，3b，3wの所定の位置に照射することが可能であるのに対し、戻光は、ＤＭＤ６で反射される光の方向が固定されていないことなどから多方向からカラーホイール３に照射される。
【００６５】
そのため、この戻光をカラーホイール３の前面で、遮光板により遮光しようとすると、多方向からカラーホイール３に照射される戻光を遮光で切るように遮光板を大きくする必要もあり、カラーホイール３からミラーM1，M2に照射される光についても遮光してしまうおそれがある。
【００６６】
したがって、カラーホイール３の背面側にバランサ25を位置させることで、カラーホイール３の前面に遮光板を配置することなく、戻光をバランサ25に当たりにくくすることができる。
【００６７】
なお、上記第１の実施の形態において、図４に示すように、バランサ25に代えて、バランサとしての接着剤47を設ける構成も可能である。ここで、この接着剤47としては、例えば紫外線硬化樹脂などを用いる。そして、この場合には、接着剤47の取り付け量、あるいは取り付け位置の自由度が向上する。
【００６８】
次に、第２の実施の形態を図５を参照して説明する。なお、上記各実施の形態と同様の構成及び作用については、同一符号を付してその説明を省略する。
【００６９】
この図５に示す実施の形態は、カラーホイール取付体15の外周部に溝部51を設け、この溝部51内に接着剤47を設けたものである。
【００７０】
ここで、溝部51は、カラーホイール取付体15のフランジ面29の外周縁部を全周に亘って段状に切り欠いてカラーホイール３をカラーホイール取付体15に取り付けた状態で溝状となるように形成されている。すなわち、溝部51は、回転中心側に位置する底面部51aを有し、この底面部51aに対して径方向に設けられた端面部51b及びカラーホイール３の後側面とで両端部を囲まれ、支持体11の外周部かつカラーホイール３の近傍に位置している。
【００７１】
そして、本実施の形態によれば、溝部51を支持体11の外周部かつカラーホイール３の近傍に設けることで、接着剤47の軸方向への流れ出しを防止でき、接着剤47の塗布範囲が集中してバランサの効果を効率よく発揮できる。
【００７２】
なお、上記第２の実施の形態において、図６に示すように、溝部51に、端面部51bに代えて、支持体11の回転中心側である中心軸側に対向するように、すなわち溝部51が中心軸から遠ざかる方向である径方向に縮開されるように傾斜した面部53を設ける構成も可能である。この場合には、接着剤47を面部53で支持し、支持体11が回転した際に接着剤47に作用する遠心力で接着剤47が溝部51から剥がれることを低減できる。
【００７３】
ここで、面部53の形状は、図６に示す形状に限定されるものではなく、図７に示すように、面部53を、端面部51bの径方向の中心近傍に設ける構成、図８に示すように、面部53を、端面部51bの径方向の外縁部に設ける構成、あるいは図９に示すように、面部53を、中心軸に対して平行となるように端面部51bから突設する構成などでも、上記第２の実施の形態と同様の作用効果を奏することができる。
【００７４】
次に、第３の実施の形態を図１０を参照して説明する。なお、上記各実施の形態と同様の構成及び作用については、同一符号を付してその説明を省略する。
【００７５】
この図１０に示す実施の形態は、上記第３の実施の形態の溝部51が、フランジ面29から後方に離間された位置にて本体部21の外周部に設けられているものである。このため、溝部51のカラーホイール３側の端面部51cを含む本体部21の前端部がマスク手段としてのマスク部55となっている。
【００７６】
このため、このマスク部55は、支持体11によるカラーホイール３の支持部となるフランジ面29の外周縁部に位置し、投射レンズ装置７などからの戻光を接着剤47に対して遮光する。
【００７７】
そして、本実施の形態によれば、マスク部55により投射レンズ装置７などからの戻光を確実に遮光でき、接着剤47の剥がれ、あるいは劣化を確実に防止できる。
【００７８】
また、マスク手段として別部材などを支持体11によるカラーホイール３の支持部の周囲に取り付ける必要もないので、部品点数の増加に伴う製造コストの増加などをも防止できる。
【００７９】
なお、上記第３の実施の形態において、図１１に示すように、両端面部51b，51cに代えて、支持体11の中心軸側に対向するように傾斜した面部53，53をそれぞれ設ける構成も可能である。この場合には、上記図２に示す実施の形態などと同様の作用効果を奏することができる。
【００８０】
次に、第４の実施の形態を図１２を参照して説明する。なお、上記各実施の形態と同様の構成及び作用については、同一符号を付してその説明を省略する。
【００８１】
この図１２に示す実施の形態は、上記第２の実施の形態において、カラーホイール３の前側面の支持体11によるカラーホイール３の支持部となる突出挿入部22の前側の周囲に、マスク手段としてのマスク板57を設けるものである。
【００８２】
このマスク板57は、支持体11のカラーホイール取付体15の外径寸法よりも大きい外径寸法を有し、投射レンズ装置７などからの戻光を接着剤47に対して遮光するものである。さらに、このマスク板57の中心部には、突出挿入部22が挿通される挿通嵌合孔58が穿設されている。そして、このマスク板57は、カラーホイール取付体15に取り付けられた状態で後側面がカラーホイール３の前側面に当接するとともに、前側面が突出挿入部22の前端部と略面一となっている。
【００８３】
このように、本実施の形態によれば、マスク板57により戻光が接着剤47に照射されることを防止でき、接着剤47の剥がれ、あるいは劣化を、より確実に防止できる。
【００８４】
また、支持体11などに加工を施すことなくマスク板57を取り付けるだけで戻光を接着剤47に対して容易かつ確実に遮光できる。
【００８５】
なお、上記第４の実施の形態のマスク板57を、上記第３の実施の形態に適用することも可能である。この場合には、マスク板57とマスク部55とにより、接着剤47に対して戻光をより確実に遮光できる。
【００８６】
次に、第５の実施の形態を図１３を参照して説明する。なお、上記各実施の形態と同様の構成及び作用については、同一符号を付してその説明を省略する。
【００８７】
この図１３に示す実施の形態は、上記図４に示す実施の形態の支持体11に代えて、支持体としての回転ロータ61を設けたものである。
【００８８】
この回転ロータ61は、略円筒状のロータ本体62を備え、このロータ本体62の前端部には、径方向に向けて突設された突出部63と、この突出部63から前方向に向けてロータ本体62と同軸状に突設されたロータ本体62より径小の挿入突出部64とがそれぞれ設けられ、かつ、これら突出部63と挿入突出部64との中心部に、圧入孔24と同様の軸支孔65が穿設されている。さらに、ロータ本体62の外周部には、上記図４に示す実施の形態と同様に、カラーホイール３の近傍、具体的には、回転ロータ61の重心位置よりもカラーホイール３寄りである回転ロータ61の前後方向の前側寄りに、カラーホイール３の後側面に隣接して取り付けられている。
【００８９】
突出部63は、前端面がカラーホイール３に当接するフランジ面29と同様のフランジ面66となっている。
【００９０】
また、挿入突出部64は、突出挿入部22と同様に、カラーホイール３の孔部27に挿入されて嵌合し、外周面が座部28と同様の座部67となっている。
【００９１】
そして、本実施の形態でも、上記図４に示す実施の形態と同様の作用効果を奏することが可能である。
【００９２】
また、カラーホイール取付体15などが必要ないので、製造性を向上できるとともに、部品点数の増加に伴う製造コストの増加などをも防止できる。
【００９３】
なお、上記第５の実施の形態において、図１４に示すように、上記第２の実施の形態の構成を適用して、回転ロータ61のフランジ面66の外周縁部を段状に切り欠いて、ロータ本体62の外周面に、カラーホイール３の後側面との間に溝部51を形成しても、同様の作用効果を奏することが可能である。
【００９４】
また、図１５に示すように、上記第３の実施の形態の構成を適用して、回転ロータ61の外周部のフランジ面66から後方に離間した位置に溝部51を形成しても、同様の作用効果を奏することが可能である。
【００９５】
さらに、上記第４の実施の形態のマスク板57を適用する構成も可能である。
【００９６】
そして、上記図５に示す実施の形態ないし図１５に示す実施の形態において、接着剤47に代えてバランサ25を溝部51に取り付ける構成とすることも可能である。この場合には、溝部51によりバランサ25を光軸方向に位置決めしやすくなる。
【００９７】
次に、第６の実施の形態を図１６を参照して説明する。なお、上記各実施の形態と同様の構成及び作用については、同一符号を付してその説明を省略する。
【００９８】
この図１６に示す実施の形態は、上記第１の実施の形態において、モータ12がいわゆるインナロータ型のものである。
【００９９】
すなわち、モータ12は、カラーホイールユニット４を外装筐体８側に固定可能とする筐体71を備えている。この筐体71は、コイル34を内部に収容するとともにこのコイルの外周部に対向して図示しない永久磁石を内周側に設けられている。また、この筐体71には、回転軸33を回転自在に軸支する軸支挿通孔72が両端部の中心部に穿設されている。
【０１００】
さらに、カラーホイール３には、支持体11に代えて、支持体としてのカラーホイール取付体74が固定されている。このカラーホイール取付体74は、略円筒状の取付体本体75を備え、この取付体本体75の前端部には、カラーホイール３の孔部27に挿通されて嵌合する取付嵌合部76が同軸状に前方に突設され、これら取付体本体75と取付嵌合部76との中心部に、回転軸33が圧入される圧入孔77が穿設されている。
【０１０１】
この結果、取付体本体75の前端面が、カラーホイール３に当接するフランジ面29と同様のフランジ面78となっており、取付嵌合部76の外周面が、座部28と同様の座部79となっている。
【０１０２】
さらに、上記第１の実施の形態の支持体11と同様に、取付体本体75の外周部のカラーホイール３の近傍、具体的には、カラーホイール取付体74の重心位置よりもカラーホイール３寄りであるカラーホイール取付体74の前後方向の前側寄りに、カラーホイール３の後側面に隣接してバランサ25が接着固定されている。
【０１０３】
そして、本実施の形態では、筐体71が外装筐体８側に固定され、カラーホイール３が、コイル34及びカラーホイール取付体74とともに回転し、上記第１の実施の形態と同様の作用効果を奏することが可能となる。
【０１０４】
なお、上記第６の実施の形態において、上記第２の実施の形態、第３の実施の形態、あるいは第４の実施の形態を適用する構成も可能である。
【０１０５】
また、上記各実施の形態において、カラーホイール３は透過型のものとしたが、反射型のカラーホイール３とすることもできる。この場合には、ランプ２、照明光学系５、ＤＭＤ６及び投射レンズ装置７の配置をそれぞれ変更することで容易に対応可能となる。
【０１０６】
さらに、カラーホイール３に用いるカラーフィルタ3r，3g，3b，3wの大きさ及び配置などは、適宜設定することが可能である。
【０１０７】
そして、プロジェクタ装置１としては、ＤＭＤ６を用いた反射型に限らず、ＬＣＯＳ（Liquid Crystal on Silicon）型の表示素子を用いることも可能であり、さらには、透過型の液晶表示素子などにも適用可能である。
【図面の簡単な説明】
【０１０８】
【図１】本発明の第１の実施の形態のカラーホイール装置を示す縦断面図である。
【図２】同上カラーホイール装置を示す正面図である。
【図３】同上カラーホイール装置を備えたプロジェクタ装置を示す説明図である。
【図４】同上カラーホイール装置の他の実施の形態を示す縦断面図である。
【図５】本発明の第２の実施の形態のカラーホイール装置を示す縦断面図である。
【図６】同上カラーホイール装置の他の実施の形態の一部を示す縦断面図である。
【図７】同上カラーホイール装置のさらに他の実施の形態の一部を示す縦断面図である。
【図８】同上カラーホイール装置のさらに他の実施の形態の一部を示す縦断面図である。
【図９】同上カラーホイール装置のさらに他の実施の形態の一部を示す縦断面図である。
【図１０】本発明の第３の実施の形態のカラーホイール装置を示す縦断面図である。
【図１１】同上カラーホイール装置の他の実施の形態を示す縦断面図である。
【図１２】本発明の第４の実施の形態のカラーホイール装置を示す縦断面図である。
【図１３】本発明の第５の実施の形態のカラーホイール装置を示す縦断面図である。
【図１４】同上カラーホイール装置の他の実施の形態を示す縦断面図である。
【図１５】同上カラーホイール装置のさらに他の実施の形態を示す縦断面図である。
【図１６】本発明の第６の実施の形態のカラーホイール装置を示す縦断面図である。
【符号の説明】
【０１０９】
１    プロジェクタ装置
２    光源としてのランプ
３    カラーホイール
3r，3g，3b，3w    カラーフィルタ
４    カラーホイール装置としてのカラーホイールユニット
６    光変調手段としてのＤＭＤ
７    投射光学系としての投射レンズ装置
11    支持体
12    モータ
25    バランサ
47    バランサとしての接着剤
51    溝部
53    面部
55    マスク手段としてのマスク部
57    マスク手段としてのマスク板
61    支持体としての回転ロータ
74    支持体としてのカラーホイール取付体
【図１】
2006162651.tif 000003
【図２】
2006162651.tif 000004
【図３】
2006162651.tif 000005
【図４】
2006162651.tif 000006
【図５】
2006162651.tif 000007
【図６】
2006162651.tif 000008
【図７】
2006162651.tif 000009
【図８】
2006162651.tif 000010
【図９】
2006162651.tif 000011
【図１０】
2006162651.tif 000012
【図１１】
2006162651.tif 000013
【図１２】
2006162651.tif 000014
【図１３】
2006162651.tif 000015
【図１４】
2006162651.tif 000016
【図１５】
2006162651.tif 000017
【図１６】
2006162651.tif 000018